(57)【要約】【課題】オイルパン上面の突起体の形状に影響されることなく清掃作業を円滑に行え、かつ、清掃作業時間の短縮化及び清掃作業の労力の軽減化を図り得る乗客コンベア用オイルパン清掃機の提供。【解決手段】無端状に連結されて左右乗降口間で循環移動する複数個の踏段と一緒に移動することで当該複数個の踏段の下方に設けられたオイルパンの清掃を行う乗客コンベア用オイルパン清掃機であって、複数個の踏段のうちの少なくとも一つを清掃用踏段１５とし、この清掃用踏段１５に、オイルパン５上面に散布した磁性流体１７を吸着するための電磁石手段１８を設け、清掃用踏段１５が戻り側方向に移動する際に、電磁石手段１８に磁性流体１７を吸着させ、その磁性流体１７がオイルパン５上面を摺動するようにすることで、オイルパン５上面の塵埃Ｗを掻き集める構成した。【選択図】図２
2008297077.tif 000002
【特許請求の範囲】
【請求項１】
無端状に連結されて左右の乗降口間で循環移動する複数個の踏段のうちの少なくとも一つを清掃用踏段とし、この清掃用踏段により前記複数個の踏段の下方に対向して設けられたオイルパン上面の清掃を行う乗客コンベア用オイルパン清掃機であって、前記清掃用踏段を、踏段枠と踏板とライザーと前輪と後輪からなり、前記踏板を前記踏段枠に対して支持軸によって開閉可能に設けるとともに、前記清掃用踏段に、前記オイルパン上面に散布した磁性流体を吸着するための電磁石手段と、前記清掃用踏段の往き側方向から戻り側方向への反転動作及び前記清掃用踏段の戻り側方向から往き側方向への反転動作を検知する反転動作検出手段と、前記踏板を開閉させる踏板開閉手段とを設け、しかも、前記反転動作検出手段によって前記清掃用踏段の往き側方向から戻り側方向への反転動作が検知されると、前記踏板開閉手段によって前記踏板を開かせ、かつ、前記電磁石手段を作動させて前記磁性流体を吸着させる磁力を発生させるとともに、前記反転動作検出手段によって前記清掃用踏段の戻り側方向から往き側方向への反転動作が検知されると、前記踏板開閉手段によって前記踏板を閉じさせ、かつ、前記電磁石手段の作動を停止させて前記磁性流体を吸着させる磁力の発生を停止させる構成としたことを特徴とする乗客コンベア用オイルパン清掃機。
【請求項２】
前記電磁石手段は、前記清掃用踏段の前輪と同期して発電する発電機と、この発電機を電源とする電磁石とからなり、しかも、前記踏板開閉手段は、前記踏板と前記オイルパン上面との間の間隙を保持するための間隙保持小車輪を設けたリンク機構と、前記清掃用踏段が戻り側方向に移動した際に前記リンク機構を動作させて前記間隙保持小車輪を前記踏板から前記オイルパン上面に向って突出させるとともに、前記清掃用踏段が往き側方向に移動した際に前記リンク機構を動作させて前記間隙保持小車輪を前記踏板内方に移動させるためのアクチュエーターと、前記清掃用踏段が往き側方向に移動した際に前記リンク機構を動作させて前記踏板を閉じた状態に保持するためのばね手段とからなり、さらに、前記踏板裏面側に、少なくとも前記反転動作検出手段及び前記電磁石手段の電磁石を配設する構成としたことを特徴とする請求項１記載の乗客コンベア用オイルパン清掃機。
【請求項３】
前記踏板を、前記清掃用踏段が戻り側方向に移動した際に、前記アクチュエーターの働きで前記支持軸を支点にして前記オイルパン上面に向う方向に回動して開かせる構成としたことを特徴とする請求項２記載の乗客コンベア用オイルパン清掃機。
【請求項４】
前記踏板を、前記清掃用踏段が往き側方向に移動した際に、前記アクチュエーターの働きが断たれて、前記ばね手段のばね力によって前記支持軸を支点に前記踏段枠に向う方向に回動させることで閉じさせて前記踏段枠に固定保持させる構成としたことを特徴とする請求項３記載の乗客コンベア用オイルパン清掃機。
【発明の詳細な説明】
【技術分野】
【０００１】
本発明は、乗客コンベア用オイルパン清掃機に関するものである。
【背景技術】
【０００２】
一般に、乗客コンベアにおいては、無端状に連結されて左右の乗降口間で循環移動する複数個の踏段の下方には、その踏段側から落下してくるところの、土砂やたばこの吸殻などの塵埃及び各レールや各チェーンに注油した油などを受けるオイルパンが設置されており、そのオイルパン上を定期的に清掃しなければならない。
【０００３】
そこで、オイルパン上を清掃する乗客コンベア用オイルパン清掃機を、移動チェーンに設けた前輪軸に取り付ける取り付け枠と、オイルパン上面に摺接するところの清掃ブラシや清掃ゴムなどからなる清掃部材と、この清掃部材を支持する支持体と、この支持体を取り付け枠に連結する連結部材とから構成し、その乗客コンベア用オイルパン清掃機を、無端状に連結されて左右の乗降口間で循環移動する複数個の踏段の一つを取り外して、その取り外した部分に装着した後、他の残りの複数個の踏段と一緒に移動させることで、前記清掃部材によって、オイルパン上面の塵埃を掻き集めるにしたものが開発されている（例えば、特許文献１参照）。
【特許文献１】特開２００２−２２０１８３公報
【発明の開示】
【発明が解決しようとする課題】
【０００４】
しかしながら、上述した従来の乗客コンベア用オイルパン清掃機では、乗客コンベアの運転を停止させて、乗客コンベアの上部機械室にて、少なくとも一つの踏段を取り外した後、その乗客コンベア用オイルパン清掃機を取り付け、その後、乗客コンベアを運転させて、乗客コンベア用オイルパン清掃機を乗客コンベアの下部機械室側に移動させることで、オイルパンの塵埃を清掃部材によって乗客コンベアの下部機械室側に掻き集めた後、その掻き集めた塵埃を真空掃除機等によって吸引廃棄するようにしているため、次のような問題点があった。
【０００５】
（１）乗客コンベア用オイルパン清掃機を取り付けるためには、乗客コンベアの運転を停止させて少なくとも一つの踏段を取り外す必要があるとともに、オイルパンの清掃作業を、再度、実施する場合には、乗客コンベアの下部機械室側に移動した乗客コンベア用オイルパン清掃機をその下部機械室側で取り外した後、その乗客コンベア用オイルパン清掃機を乗客コンベアの上部機械室内に清掃作業者が運び込み、再度、前輪軸に取り付ける必要があり、清掃作業者の労力が甚大となり、かつ、清掃作業時間が長時間化される。
【０００６】
（２）乗客コンベアの運転を停止させて乗客コンベア用オイルパン清掃機を取り付ける必要があるために、乗客コンベアの通常運転中は、オイルパンの清掃作業を行うことができない。
【０００７】
（３）オイルパン上面を摺接移動するところの清掃ブラシや清掃ゴムなどからなる清掃部材によって、オイルパン上面の塵埃を乗客コンベアの上部機械室から下部機械室に向って掻き集めるようにしているので、オイルパン上面にそのオイルパンを補強するなどのための突起体があった場合に、その突起体に清掃部材が衝突することで、清掃部材が破損したり、乗客コンベア用オイルパン清掃機が浮き上がってその乗客コンベア用オイルパン清掃機が周囲の踏段等に衝突することで踏段等が破損したりするために、オイルパン上面の突起体に合わせた特殊形状の清掃部材とする必要がある。ところが、乗客コンベアの設置作業の事情等によって、乗客コンベアの設置現場によりオイルパン上面の突起体の形状が異なっていることが多いために、形状の異なる清掃部材を多数、予め用意しておく必要がある。
【０００８】
本発明は、上述した問題点にかんがみなされたもので、その目的は、乗客コンベアの通常運転時においても、オイルパン上面の突起体の形状に影響されることなく、清掃作業を行うことができとともに、清掃作業時間の短縮化及び清掃作業の労力の軽減化を図り得る乗客コンベア用オイルパン清掃機を提供することにある。
【課題を解決するための手段】
【０００９】
上記目的を達成するために、本発明は、無端状に連結されて左右の乗降口間で循環移動する複数個の踏段のうちの少なくとも一つを清掃用踏段とし、この清掃用踏段により前記複数個の踏段の下方に対向して設けられたオイルパン上面の清掃を行う乗客コンベア用オイルパン清掃機であって、前記清掃用踏段を、踏段枠と踏板とライザーと前輪と後輪からなり、前記踏板を前記踏段枠に対して支持軸によって開閉可能に設けるとともに、前記清掃用踏段に、前記オイルパン上面に散布した磁性流体を吸着するための電磁石手段と、前記清掃用踏段の往き側方向から戻り側方向への反転動作及び前記清掃用踏段の戻り側方向から往き側方向への反転動作を検知する反転動作検出手段と、前記踏板を開閉させる踏板開閉手段とを設け、しかも、前記反転動作検出手段によって前記清掃用踏段の往き側方向から戻り側方向への反転動作が検知されると、前記踏板開閉手段によって前記踏板を開かせ、かつ、前記電磁石手段を作動させて前記磁性流体を吸着させる磁力を発生させるとともに、前記反転動作検出手段によって前記清掃用踏段の戻り側方向から往き側方向への反転動作が検知されると、前記踏板開閉手段によって前記踏板を閉じさせ、かつ、前記電磁石手段の作動を停止させて前記磁性流体を吸着させる磁力の発生を停止させる構成としたことを特徴としている。
【００１０】
さらに、本発明は、前記電磁石手段は、前記清掃用踏段の前輪と同期して発電する発電機と、この発電機を電源とする電磁石とからなり、しかも、前記踏板開閉手段は、前記踏板と前記オイルパン上面との間の間隙を保持するための間隙保持小車輪を設けたリンク機構と、前記清掃用踏段が戻り側方向に移動した際に前記リンク機構を動作させて前記間隙保持小車輪を前記踏板から前記オイルパン上面に向って突出させるとともに、前記清掃用踏段が往き側方向に移動した際に前記リンク機構を動作させて前記間隙保持小車輪を前記踏板内方に移動させるためのアクチュエーターと、前記清掃用踏段が往き側方向に移動した際に前記リンク機構を動作させて前記踏板を閉じた状態に保持するためのばね手段とからなり、さらに、前記踏板裏面側に、少なくとも前記反転動作検出手段及び前記電磁石手段の電磁石を配設する構成としたことを特徴としている。
【００１１】
さらに、本発明は、前記踏板を、前記清掃用踏段が戻り側方向に移動した際に、前記アクチュエーターの働きで前記支持軸を支点にして前記オイルパン上面に向う方向に回動して開かせる構成としたことを特徴としている。
【００１２】
さらに、本発明は、前記踏板を、前記清掃用踏段が往き側方向に移動した際に、前記アクチュエーターの働きが断たれて、前記ばね手段のばね力によって前記支持軸を支点に前記踏段枠に向う方向に回動させることで閉じさせて前記踏段枠に固定保持させる構成としたことを特徴としている。
【発明の効果】
【００１３】
本発明によれば、無端状に連結されて左右の乗降口間で循環移動する複数個の踏段のうちの少なくとも一つを清掃用踏段とし、その清掃用踏段を、前記反転動作検出手段によって前記清掃用踏段の往き側方向から戻り側方向への反転動作が検知されると、前記踏板開閉手段によって前記踏板を開かせ、かつ、前記電磁石手段を作動させて前記磁性流体を吸着させる磁力を発生させるとともに、前記反転動作検出手段によって前記清掃用踏段の戻り側方向から往き側方向への反転動作が検知されると、前記踏板開閉手段によって前記踏板を閉じさせ、かつ、前記電磁石手段の作動を停止させて前記磁性流体を吸着させる磁力の発生を停止させるようにしたので、乗客コンベアの通常運転を行いながら、連続して、オイルパンの清掃作業の実施が可能になり、しかも、前記清掃用踏段が戻り側方向に移動する際に、前記電磁石手段を作動させて前記磁性流体を吸着させることによって、オイルパンに各種の突起体があっても、前記磁性流体及び塵埃がその突起体を難なく乗り越えさせることができ、形状の異なる清掃部材を多数、予め用意しなくとも、オイルパン上面の塵埃を円滑に掻き集めることができる乗客コンベア用オイルパン清掃機が得られる。
【発明を実施するための最良の形態】
【００１４】
以下、本発明に係る乗客コンベア用オイルパン清掃機の一実施形態を、図１〜図４に、基づいて説明する。図１は、本発明の一実施形態に係り、乗客コンベアの概略構造図である。図２は、本発明の一実施形態に係り、踏段が戻り側方向に移動した際における乗客コンベア用オイルパン清掃機の動作状態説明図である。図３は、本発明の一実施形態に係り、踏段が往き側方向移動した際における乗客コンベア用オイルパン清掃機の動作状態説明図である。図４は、本発明の一実施形態に係り、乗客コンベア用オイルパン清掃機の清掃動作時における移動軌跡の説明図である。
【００１５】
図１に示す本発明の一実施形態に係る乗客コンベア１は、図１示すように、左右乗降口２、２Ａの間で循環移動する踏み段などからなる複数個の踏段３、これら踏段３の両側方に立設した欄干４と、これら踏段３の下方に対向して設けられたオイルパン５と、これら踏段３を無端状に連結した移動チェーン（ステップチェーン）６と、この移動チェーン６を移動させることでこれら踏段３を連続循環させるためのターミナルギヤ７、７Ａと、左右の乗降口２、２Ａのそれぞれに設けた乗降口床板（フロアプレート）８、８Ａと、欄干４の上端部分で踏段３と同期して同方向に移動するハンドレール９とを、少なくとも包含する構成とする。無端状に連結された複数個の踏段３は、ターミナルギヤ７によって、乗降口２における乗降口床板８の下部機械室１０内にて移動方向を反転させ、かつ、ターミナルギヤ７Aによって、乗降口２Ａにおける乗降口床板８Ａの上部機械室１０Ａ内にて移動方向を反転させることにより、左右の乗降口２、２Ａ間で循環移動するようにしてある。なお、連続循環する複数個の踏段３において、その踏段３が上昇移動する方向を踏段３の往き側方向Ｑと称し、かつ、下降移動する方向を踏段３の戻り側方向Ｐと称することとする。
【００１６】
踏段３は、図１〜図４に示すように、踏段枠（ステップフレーム）３Ａと、踏板（ステップトレッド）３Ｂと、ライザー３Ｃと、前輪３Ｄと、後輪３Ｅとからなっている。無端状に連結された複数個の踏段３は、ターミナルギヤ７、７Aによって、乗降口２、２Ａにおける乗降口床板８、８Aの下方にて移動方向を反転させることにより、左右の乗降口２、２Ａ間で循環移動するようにしてある。
【００１７】
乗客コンベア１の上部機械室１０Ａには、図１に示すように、駆動モータ１１、駆動スプロケット１２及び減速機１３が配設されている。ターミナルギヤ７Aと駆動スプロケット１２には、駆動チェーン１４が巻装されている。
【００１８】
無端状に連結されて左右の乗降口２、２Ａ間で循環移動する複数個の踏段３のうちの少なくとも一つを、清掃用踏段１５としてある。清掃用踏段１５は、図２及び図３に示すように、踏板３Ｂを踏段枠３Ａに対して支持軸１６によって矢印Ｒのごとく開閉可能に設けるとともに、オイルパン５上面に散布した磁性流体１７を吸着するための電磁石手段１８と、清掃用踏段１５の往き側方向Ｑから戻り側方向Ｐへの反転動作及び清掃用踏段１５の戻り側方向Ｐから往き側方向Ｑへの反転動作を検知する反転動作検出手段１９と、踏板３Ｂを開閉させる踏板開閉手段２０とを設け、しかも、反転動作検出手段１９によって清掃用踏段１５の往き側方向Ｑから戻り側方向Ｐへの反転動作が検知されると、踏板開閉手段２０によって踏板３Ｂを開かせ、かつ、電磁石手段１８を作動させて磁性流体１７を吸着させる磁力Ｆを発生させるとともに、反転動作検出手段１９によって清掃用踏段１５の戻り側方向Ｐから往き側方向Ｑへの反転動作が検知されると、踏板開閉手段２０によって踏板３Ｂを閉じさせ、かつ、電磁石手段１８の作動を停止させて磁性流体１７を吸着させる磁力Ｆの発生を停止させる構成としたものである。
【００１９】
電磁石手段１８は、清掃用踏段１５の前輪３Ｄと同期して発電する発電機２１と、この発電機２１を電源とする電磁石２２とから構成されている。踏板開閉手段２０は、踏板３Ｂとオイルパン５上面との間の間隙Ｇを保持するための間隙保持小車輪２３を設けたリンク機構２４と、清掃用踏段１５が戻り側方向Ｐに移動した際にリンク機構２４を動作させて間隙保持小車輪２３を踏板３Ｂからオイルパン５上面に向って突出させるとともに、清掃用踏段１５が往き側方向Ｑに移動した際にリンク機構２４を動作させて間隙保持小車輪２３を踏板３Ｂ内方に移動させるためのアクチュエーター２５と、清掃用踏段１５が往き側方向Ｑに移動した際にリンク機構２３を動作させて踏板３Ｂを閉じた状態に保持するためのばね手段２６とから構成されている。なお、間隙保持小車輪２３は、例えば、弾性ゴムなどから構成されている。
【００２０】
清掃用踏段１５は、その清掃用踏段１５が戻り側方向Ｐに移動した際に、踏板３Ｂが、アクチュエーター２５の働きで支持軸１９を支点にしてオイルパン５上面に向う方向に回動する構成としてある。清掃用踏段１５の踏板３Ｂは、清掃用踏段１５が往き側方向Ｑに移動した際に、アクチュエーター２５の働きが断たれて、ばね手段２６のばね力によって支持軸１９を支点に踏段枠３Ａに向う方向に回動して踏段枠３Ａに固定保持させる構成としてある。
【００２１】
磁性流体１７は、例えば、磁性粉を油に混合した高粘度性のものとしてある。アクチュエーター２５は、例えば、油圧シリンダーやジャッキのように直線運動する構成としてある。清掃用踏段１５が戻り側方向Ｐに移動している際には、反転動作検出手段１９及び電磁石手段１８の電磁石２２の重みが踏板３Ｂを開かせる方向に作用するように、かつ、清掃用踏段１５が往き側方向Ｑに移動している際には、反転動作検出手段１９及び電磁石手段１８の電磁石２２の重みが踏板３Ｂを閉じさせる方向に作用するように、踏板３Ｂの裏面側に反転動作検出手段１９及び電磁石手段１８の電磁石２２が配設されている。
【００２２】
ばね手段２６は、例えば、コイルばねなどからなり、踏板３Ｂを閉じさせる方向の付勢力が常時生じさせるように、リンク機構２４に取り付けられている。アクチュエーター２５は、反転動作検出手段１９によって清掃用踏段１５の往き側方向Ｑから戻り側方向Ｐへの反転動作が検知されると、発電機２１を働かせることで、作動を開始するとともに、反転動作検出手段１９によって清掃用踏段１５の戻り側方向Ｐから往き側方向Ｑへの反転動作が検知されると、発電機２１の働きを停止させることで、作動を停止するようにしてある。アクチュエーター２５が作動した場合には、図２に示すように、ばね手段２６のばね力に逆らって踏板３Ｂを開かせる方向にリンク機構２４を動作させる。アクチュエーター２５の作動を停止させた場合には、図３に示すように、ばね手段２６のばね力によってリンク機構２４が引っ張られることで、踏板３Ｂを閉じさせる方向にリンク機構２４を動作させる。
【００２３】
次に、上記構成の本実施形態に係る乗客コンベア用オイルパン清掃機の清掃動作を、具体的に説明する。
【００２４】
まず、乗客コンベア１を運転する前に、予め、清掃用踏段１５を複数個の踏段３に組み込んだ後、乗客コンベア１を運転させることで、反転動作検出手段１９によって清掃用踏段１５の往き側方向Ｑから戻り側方向Ｐへの反転動作が検知されると、発電機２１を働かせてアクチュエーター２５を作動させることにより、図２に示すように、踏板３Ｂが開き、かつ、間隙保持小車輪２３が踏板３Ｂからオイルパン５に接触するように突出させられると同時に、電磁石手段１８を作動させて磁性流体１７を吸着させる磁力Ｆを電磁石２２に発生させることにより、この電磁石２２にオイルパン５上面に散布された磁性流体１７が磁性吸着させられる。この状態で、清掃用踏段１５を、乗客コンベア１の上部機械室１０Ａ側から下部機械室１０に向って図４に示す軌跡Ｘ１のように移動させると、乗客コンベア１の上部機械室１０Ａ近傍に位置する部分おけるオイルパン５上に散布した磁性流体１７が図４に示す軌跡Ｘ２のように移動して、オイルパン５上の塵埃Ｗが下部機械室１０側に掻き集められる。
【００２５】
次いで、清掃用踏段１５が下部機械室１０に移動して、反転動作検出手段１９によって清掃用踏段１５の戻り側方向Ｐから往き側方向Ｑへの反転動作が検知されると、発電機２１の働きが停止させられてアクチュエーター２５の作動が停止させられることにより、踏板３Ｂが閉じられ、かつ、間隙保持小車輪２３が踏板３Ｂ内方に移動（踏板３Ｂの表面より突出しない位置に移動）させられると同時に、電磁石手段１８の作動を停止させることにより、磁性流体１７を吸着させる磁力Ｆを電磁石２２に発生させないようにすることで、下部機械室１０側に掻き集められた塵埃Ｗが電磁石２２に磁性吸着しないようになる。この状態では、図３に示すように、踏板３Ｂが閉じた状態がばね手段２６のばね力によって強く保持させられるとともに、踏板３Ｂの上面に間隙保持小車輪２３が突出していないので、清掃用踏段１５が、その清掃用踏段１５の乗客が乗った状態であっても、下部機械室１０側から上部機械室１０Ａ側に向って安全に移動させられる。
【００２６】
清掃用踏段１５が下部機械室１０側から上部機械室１０Ａ側に移動して、再度、反転動作検出手段１９によって清掃用踏段１５の往き側方向Ｑから戻り側方向Ｐへの反転動作が検知されると、再度、踏板３Ｂが開き、かつ、間隙保持小車輪２３が踏板３Ｂからオイルパン５に接触するように突出させられると同時に、磁性流体１７を吸着させる磁力Ｆを電磁石２２に発生させることにより、この電磁石２２にオイルパン５上面に散布された磁性流体１７が磁性吸着させられるので、清掃用踏段１５の移動に伴い、磁性流体１７及びオイルパン５上に残っていた塵埃Ｗが下部機械室１０側に掻き集められる。そして、清掃用踏段１５が下部機械室１０に移動することで、再度、反転動作検出手段１９によって清掃用踏段１５の戻り側方向Ｐから往き側方向Ｑへの反転動作が検知されると、再度、踏板３Ｂが閉じられ、かつ、間隙保持小車輪２３が踏板３Ｂ内方に移動（踏板３Ｂの表面より突出しない位置に移動）させられると同時に、磁性流体１７を吸着させる磁力Ｆを電磁石２２に発生させないことで、下部機械室１０側に掻き集められた塵埃Ｗが電磁石２２に磁性吸着しないようになる。このように、清掃用踏段１５を、無端状に連結された複数個の踏段３と一緒に、乗降口２、２Ａ間で、連続して安全に循環移動させることができる。したがって、乗客コンベア１の通常運転中に、清掃用踏段１５によって、オイルパン５の清掃を自動的に行わせることができる。なお、下部機械室１０側に掻き集められたオイルパン５上の塵埃Ｗは、真空掃除機などによって、吸引廃棄すればよい。
【００２７】
上記本実施形態の乗客コンベア用オイルパン清掃機によれば、無端状に連結されて左右の乗降口２、２Ａ間で循環移動する複数個の踏段３のうちの少なくとも一つを清掃用踏段１５とし、その清掃用踏段１５を、反転動作検出手段１９によって清掃用踏段１５の往き側方向Ｑから戻り側方向Ｐへの反転動作が検知されると、踏板開閉手段２０によって踏板３Ｂを開かせ、かつ、電磁石手段１８を作動させて磁性流体１７を吸着させる磁力Ｆを発生させるとともに、反転動作検出手段１９によって清掃用踏段１５の戻り側方向Ｐから往き側方向Ｑへの反転動作が検知されると、踏板開閉手段２０によって踏板３Ｂを閉じさせ、かつ、電磁石手段１８の作動を停止させて磁性流体１７を吸着させる磁力Ｆの発生を停止させるようにしたので、乗客コンベア１の通常運転を行いながら、連続して、オイルパン５の清掃作業の実施が可能になり、清掃作業時間の短縮化及び清掃作業の労力の軽減化を図ることができる。
【００２８】
上記本実施形態の乗客コンベア用オイルパン清掃機によれば、清掃用踏段１５が戻り側方向Ｐに移動する際に、電磁石手段１８を作動させて磁性流体１７を吸着させることにより、オイルパン５に各種の突起体があっても、磁性流体１７及び塵埃Ｗを、その突起体を難なく乗り越えさせることができ、オイルパン５等の損傷を阻止できるとともに、形状の異なる清掃部材を多数、予め用意しなくとも、オイルパン５上面の塵埃Ｗを円滑に掻き集めることができ、生産コストの低減化を図ることができる。
【００２９】
さらに、上記本実施形態の乗客コンベア用オイルパン清掃機によれば、予め、乗客コンベア１の踏段３に清掃用踏段１５を生産工場等で組み込んでおくようにすれば、乗客コンベア１の運転を停止させて乗客コンベア用オイルパン清掃機を取り付けるという作業が不要となるので、乗客コンベアの通常運転中でも、連続してオイルパンの清掃作業を行うことを可能にし、使い勝手が優れている。
【００３０】
さらに、上記本実施形態の乗客コンベア用オイルパン清掃機によれば、清掃用踏段１５が戻り側方向Ｐに移動している際は、反転動作検出手段１９及び電磁石手段１８の電磁石２２の重み並びに踏板３Ｂの自重が、踏板３Ｂを開かせる方向に作用するように、しかも、清掃用踏段１５が往き側方向Ｑに移動している際は、踏板３Ｂを閉じさせる方向に作用するようにしてあるので、踏板３Ｂの開閉動作を円滑に行わせるができる。
【００３１】
さらに、上記本実施形態の乗客コンベア用オイルパン清掃機によれば、清掃用踏段１５が戻り側方向Ｐに移動している際に、踏板３Ｂが支持軸１６を支点にして開いても、間隙保持小車輪２３により、踏板３Ｂがオイルパン５に接触することがないので、踏板３Ｂ及びオイルパン５上面を損傷させることなく、清掃用踏段１５を上部機械室１０Ａに向って円滑に移動させることができる。
【図面の簡単な説明】
【００３２】
【図１】本発明の一実施形態に係り、乗客コンベアの概略構造図である。
【図２】本発明の一実施形態に係り、踏段が戻り側方向に移動した際における乗客コンベア用オイルパン清掃機の動作状態説明図である。
【図３】本発明の一実施形態に係り、踏段が往き側方向移動した際における乗客コンベア用オイルパン清掃機の動作状態説明図である。
【図４】本発明の一実施形態に係り、乗客コンベア用オイルパン清掃機の清掃動作時における移動軌跡の説明図である。
【符号の説明】
【００３３】
１    乗客コンベア
２、２Ａ  乗降口
３    踏段
３Ａ  踏段枠
３Ｂ  踏板
３Ｃ  ライザー
３Ｄ  前輪
３Ｅ  後輪
４    欄干
５    オイルパン
６    移動チェーン
７、７Ａ  ターミナルギヤ
８、８Ａ  乗降口床板
９    ハンドレール
１０  下部機械室
１０Ａ  上部機械室
１１  駆動モータ
１２  駆動スプロケット
１３  減速機
１４  駆動チェーン
１５  清掃用踏段
１６  支持軸
１７  磁性流体
１８  電磁石手段
１９  反転動作検出手段
２０  踏板開閉手段
２１  発電機
２２  電磁石
２３  間隙保持小車輪
２４  リンク機構
２５  アクチュエーター
２６  ばね手段
【図１】
2008297077.tif 000003
【図２】
2008297077.tif 000004
【図３】
2008297077.tif 000005
【図４】
2008297077.tif 000006